(57)【要約】【課題】多層構造を採用したコントロールボックスにおいて、一部の内蔵部品を容易に回転移動させることができ、支持部の破損や変形を抑制することを目的とする。【解決手段】コントロールボックス１２は、内部空間１３に制御基板２３及びインバータ基板２４を収納し、前方に開口２０が形成される筐体１４と、筐体１４の内部空間１３に収納され、制御基板２３を保持するブラケット２８と、左側壁１７の内側に設けられ、ブラケット２８を、上下方向に延びる軸を中心に開口２０側に回転自在に支持するヒンジ２７と、を備えている。また、制御基板２３とインバータ基板２４とは、開口２０側から、後壁に向かって重なるように並んで配置され、ブラケット２８は、一端がヒンジ２７に支持されて前後方向に延在する固定部３１と、固定部３１の他端から左右方向に延びる保持部３２とを有し、保持部３２は、制御基板２３を保持する。【選択図】図２
2019049388.tif 000002
【特許請求の範囲】
【請求項１】
内部に複数の内蔵部品を収納し、一側面に開口が形成される筐体と、
前記筐体の内部に収納され、前記複数の内蔵部品の一部を保持するブラケットと、
前記一側面と交差する側面である交差側面の内側に設けられ、前記ブラケットを、上下方向に延びる軸を中心に前記一側面側に回転自在に支持する支持部と、を備え、
前記複数の内蔵部品は、前記一側面側から、該一側面と対向する側面である他側面に向かって重なるように並んで配置され、
前記ブラケットは、前記筐体の内部に収納された状態において、一端が前記支持部に支持されて他側面方向に延在する固定部と、該固定部の他端から前記交差側面と対向する側面の方向に延びる保持部とを有し、
前記保持部は、前記複数の内蔵部品のうち、前記一側面側に配置された内蔵部品を保持するコントロールボックス。
【請求項２】
前記固定部の一端から前記固定部の他端までの長さは、前記交差側面の前記一端面側の端部から前記支持部の設置位置までの長さと略同一に設定される請求項１に記載のコントロールボックス。
【請求項３】
前記保持部に保持される前記内蔵部品には、配線が接続されていて、
前記交差側面には、前記配線が挿通する配線挿通部が形成されている請求項１または請求項２に記載のコントロールボックス。
【請求項４】
前記開口を塞ぐ閉塞部材と、
前記交差側面と対向する側面に設けられ、上下方向に延びる軸を中心に前記一側面側に回転自在に、前記交差側面と対向する側面に対して前記閉塞部材を支持する閉塞部材支持部と、を備える請求項１から請求項３のいずれかに記載のコントロールボックス。
【発明の詳細な説明】
【技術分野】
【０００１】
本発明は、コントロールボックスに関するものである。
【背景技術】
【０００２】
空気調和機の室外機では、設置性を向上するとともに、運搬時や搬入時の制約を緩和するため、一層のコンパクト化が求められている。一方、室外機に内蔵されるコントロールボックスは、空気調和機の多機能化や電子制御化、圧縮機のインバータ化等に伴い、ますます複雑化、大型化する傾向にある。しかし、室外機をコンパクト化するには、コントロールボックスの小型化が不可避となっている。そこで、限られたスペースに必要な内蔵部品を収容するために、コントロールボックスを多層構造（前面から後面に向かう方向に沿って重なるように、内蔵部品等を並べて配置する構造）とすることがある。
【０００３】
コントロールボックスを多層構造とすると、後面側に配設されているコントロールボックスに設けられている内蔵部品等をメンテナンスしなければならなくなったとき、前面側のコントロールボックスを取外さなければならず、メンテナンスがし難くなるという問題が生ずる。このような問題を解決するものに、特許文献１の空気調和機の室外機がある。
【０００４】
特許文献１には、第１層コントロールボックス、第２層コントロールボックス、および第３層コントロールボックスが一体に積層され、結合された構成のコントロールボックスが記載されている。該コントロールボックスでは、第１層コントロールボックスと第２層コントロールボックスとが左右一対の左パネルおよび右パネルと下パネルとを介して一体にセット化された構成が、第３層コントロールボックスの右パネル側に固定されているブラケットに対して、複数のヒンジを介してヒンジの回転軸周りに、約９０°の範囲で開閉可能に結合されている。第１層および第２層コントロールボックスを約９０°開くことで、第３層コントロールボックスに設けられているインバータ用基板やパワーモジュール等々が正面側に露出されるようにしている。
【先行技術文献】
【特許文献】
【０００５】
【特許文献１】特許第５２９１３８８号公報
【発明の概要】
【発明が解決しようとする課題】
【０００６】
しかしながら、特許文献１の構成は、第１層コントロールボックスと第２層コントロールボックスとが左右一対の左パネルおよび右パネルと下パネルとを介して一体にセット化されたものを、ヒンジを介して開閉している。このように、コントロールボックス自体を開閉する構成では、開閉移動する部材の重量が大きくなり、開閉作業が困難になる可能性があった。また、ヒンジに作用する荷重が大きくなり、ヒンジが破損や変形する可能性があった。
【０００７】
本発明は、このような事情に鑑みてなされたものであって、多層構造を採用したコントロールボックスにおいて、一部の内蔵部品を容易に回転移動させることができ、支持部の破損や変形を抑制することができるコントロールボックスを提供することを目的とする。
【課題を解決するための手段】
【０００８】
上記課題を解決するために、本発明のコントロールボックスは以下の手段を採用する。
本発明の一態様に係るコントロールボックスは、内部に複数の内蔵部品を収納し、一側面に開口が形成される筐体と、前記筐体の内部に収納され、前記複数の内蔵部品の一部を保持するブラケットと、前記一側面と交差する側面である交差側面の内側に設けられ、前記ブラケットを、上下方向に延びる軸を中心に前記一側面側に回転自在に支持する支持部と、を備え、前記複数の内蔵部品は、前記一側面側から、該一側面と対向する側面である他側面に向かって重なるように並んで配置され、前記ブラケットは、前記筐体の内部に収納された状態において、一端が前記支持部に支持されて他側面方向に延在する固定部と、該固定部の他端から前記交差側面と対向する側面の方向に延びる保持部とを有し、前記保持部は、前記複数の内蔵部品のうち、前記一側面側に配置された内蔵部品を保持する。
【０００９】
上記構成では、開口が形成された一側面側にブラケットを回転させることで、ブラケットが保持する内蔵部品よりも他側面側に配置された内蔵部品（すなわち、一側面側から見たときに、一側面側に配置された内蔵部品によって、一部または全部が隠されていた内蔵部品）が、開口を介して筐体の外部に対して露出した状態になる。したがって、一側面側に配置された内蔵部品を取り外すことなく、他側面側に配置された内蔵部品のメンテナンスを行うことができる。したがって、容易に、他側面側に配置された内蔵部品のメンテナンスを行うことができる。
【００１０】
また、筐体の側面に支持されたブラケットによって一側面側に配置された内蔵部品を保持している。このように、内蔵部品とともに回転移動する部材が、筐体の内部に配置される比較的簡素な構成であるブラケットのみとなる。したがって、筐体全体や筐体の一部（例えばサイドパネル等）とともに回転移動する構成と比較して、回転移動する部材を軽量とすることができるので、一側面側に配置された内蔵部品を容易に回転移動させることができる。また、回転移動する部材を比較的軽量とすることで、支持部に作用する荷重も比較的少なくなるので、支持部の破損や変形を抑制することができる。
【００１１】
また、上記構成では、ブラケットの保持部が、他側面方向に延在する固定部を介して交差側面に支持されているので、ブラケットの保持部は、固定部を介している分、支持部（支持部の位置と、固定部の一端の位置とは略同位置となるので、固定部の一端ともいえる）よりも他側面側に位置している。すなわち、保持部は、固定部を介している分、支持部（固定部の一端）よりも一側面から離れて位置している。これにより、ブラケットが一側面側に回転した場合に、保持部は支持部（固定部の一端）よりも、固定部を介している分、回転進行方向の後ろ側に位置することとなる。したがって、ブラケットは回転移動とともに交差側面に近づいていくが、上記構成では、固定部を設けず支持部が直接保持部を支持する構成と比較して、固定部を介している分、保持部と交差側面とを干渉し難くすることができる。よって、ブラケットが回転移動する際に、移動可能な角度を大きくすることができる。
【００１２】
また、本発明の一態様に係るコントロールボックスは、前記固定部の一端から前記固定部の他端までの長さは、前記交差側面の前記一端面側の端部から前記支持部の設置位置までの長さと略同一に設定されていてもよい。
【００１３】
上記構成では、固定部の一端から他端までの長さが、交差側面の一端面側の端部から支持部の設置位置までの長さと略同一に設定されている。これにより、固定部の長さが比較的短くなっている。したがって、回転移動した際に、ブラケットと交差側面との距離を比較的近くすることができる。したがって、他側面側に配置された内蔵部品のメンテナンスをする際に、ブラケットが邪魔にならない構成とすることができる。
【００１４】
また、本発明の一態様に係るコントロールボックスは、前記保持部に保持される前記内蔵部品には、配線が接続されていて、前記交差側面には、前記配線が挿通する配線挿通部が形成されていてもよい。
【００１５】
ブラケットは、支持部を中心に回転移動するので、支持部から離れた部分ほど、回転移動した際の描く軌跡は長くなる。すなわち、上記構成では、交差側面と対向する側面の方向に延びる保持部の端部が描く軌跡が一番長くなる。
上記構成では、支持部が固定されている交差側面に、配線が挿通する配線挿通部が形成され、この配線挿通部に配線が挿通されている。すなわち、配線は、交差側面側に延びている。これにより、内蔵部品に接続された配線が、軌跡が一番長くなる保持部の端部と干渉しない。よって、交差側面に配線挿通部を形成することで、ブラケットの回転移動に伴う配線の移動距離が長くなることを抑制することができる。よって、配線を内蔵部品に接続したままブラケットを回転移動した場合であっても、ブラケットと配線とが干渉することに起因する配線の損傷や、配線の内蔵部品からの抜け落ちを防止することができる。また、配線がブラケットの回転移動の妨げとならないようにすることができる。
【００１６】
また、本発明の一態様に係るコントロールボックスは、前記開口を塞ぐ閉塞部材と、前記交差側面と対向する側面に設けられ、上下方向に延びる軸を中心に前記一側面側に回転自在に、前記交差側面と対向する側面に対して前記閉塞部材を支持する閉塞部材支持部と、を備えていてもよい。
【００１７】
上記構成では、ブラケットは、交差側面に設けられた支持部によって支持され、支持部を中心として回転移動する。また、閉塞部材は、交差側面と対向する側面に設けられた閉塞部材支持部に支持され、閉塞部材支持部を中心に回転移動する。これにより、同一の側面に両部材を設けた場合と比較して、ブラケットが回転移動する際に描く回転軌跡と閉塞部材が回転移動する際に描く回転軌跡とが重なる領域が小さくなる。したがって、ブラケットと閉塞部材とが回転移動する際に、ブラケットと閉塞部材とを干渉し難くすることができる。
【発明の効果】
【００１８】
本発明によれば、多層構造を採用したコントロールボックスにおいて、一部の内蔵部品を容易に回転移動させることができ、支持部の破損や変形を抑制することができる。
【図面の簡単な説明】
【００１９】
【図１】本発明の一実施形態に係る空気調和機の室外機におけるコントロールボックスの設置部分の横断面図である。
【図２】図１に示すコントロールボックスのドア部を開いた状態を示す斜視図である。
【図３】図２に示すコントロールボックスの内部を示す平面図である。
【図４】図２に示すコントロールボックスのブラケットを９０度回転させた状態を示す斜視図である。
【図５】図４に示すコントロールボックスの内部を示す平面図である。
【図６】図４に示すコントロールボックスのブラケットをさらに回転させた状態を示す斜視図である。
【図７】図６に示すコントロールボックスの内部を示す平面図である。
【図８】ブラケットに固定部を設けていない場合を示す参考図である。
【発明を実施するための形態】
【００２０】
以下に、本発明に係るコントロールボックスの一実施形態について、図面を参照して説明する。
なお、図中のＦＲはコントロールボックスの前方を、図中ＵＰはコントロールボックスの上方を、図中ＩＮは左右方向の内側をそれぞれ示している。また、左右方向は、コントロールボックスの前方を向いた状態での左右方向を意味する。
【００２１】
空気調和機の室外機１は、図１に示すように、周囲が前面パネル３、左側面パネル４、右側面パネル５及び背面パネル６によって囲われた箱形形状の室外機筐体２を備えている。
室外機筐体２は、内部が機械室と熱交換室とに区画されており、機械室側の前面パネル３が着脱自在とされている。室外機筐体２の機械室側の内部には、圧縮機７、アキュームレータ９、レシーバ１０やオイルセパレータ、四方切換弁、室外電子膨張弁および冷媒配管類等々の冷媒系統を構成する室外機側の構成機器類の他、空気調和機および室外機側構成機器類を制御する制御回路および電装部品類が内蔵されたコントロールボックス１２等が収容設置されている。コントロールボックス１２は、前端が機械室の前端と略一致するように配置されている。
【００２２】
コントロールボックス１２は、図２及び図３に示すように、外殻を構成し、内部に内部空間１３を形成する略直方体形状の筐体１４を備える。
筐体１４は、内部空間１３の上方を規定する天井壁１５と、下方を規定する底壁１６と、左側側方を規定する左側壁（交差側面）１７と、右側側方を規定する右側壁（交差側面と対向する側面）１８と、後方を規定する後壁（他側面）１９とを有する。また、筐体１４の前方側の側面（一側面）は全面が開口２０となっている。また、筐体１４は、開口２０の全域を前方から塞ぐドア部（閉塞部材）２１を有する。
【００２３】
筐体１４の内部空間１３には、制御基板２３やインバータ基板２４などの複数の内蔵部品が収納されている。制御基板２３及びインバータ基板２４は、筐体１４の内部空間１３に、開口２０側から後壁１９側に向かって順番に並んで配置され、多層構造を構成している。
インバータ基板２４は、後壁１９の前面に固定されている。すなわち、筐体１４の内部空間１３に収納されている内蔵部品のうち、インバータ基板２４は、最も後壁１９側に配置されている。制御基板２３は、内部空間１３の前後方向の中央よりも、やや前方に配置され、後述するブラケット２８の保持部３２に固定されている。
制御基板２３は、複数の配線（図示省略）が接続されている。また、左側壁１７には、前端から後方に延びる切欠き部（配線挿通部）３４が上下に並んで２つ形成されている。切欠き部３４の前後方向の長さは、左側壁１７の前端からヒンジ２７までの長さよりも短く形成されている。
【００２４】
筐体１４の内部空間１３には、さらに、制御基板２３を筐体１４に対して支持する支持機構２６が設けられている。支持機構２６は、左側壁１７に固定される２つのヒンジ（支持部）２７と、２つのヒンジ２７によって支持されていてブラケット２８と、ブラケット２８を着脱可能に固定する柱部２９とを有する。
【００２５】
次に、ヒンジ２７及びブラケット２８の構造について説明するが、以下の説明では、ブラケット２８が柱部２９に固定されている状態におけるヒンジ２７及びブラケット２８の説明をする。特に、以下の説明において、前後方向及び左右方向の説明は、ブラケット２８が柱部２９に固定されている状態における前後方向及び左右方向を意味する。
【００２６】
２つのヒンジ２７は、上下方向に並んで配置されている。また、２つのヒンジ２７は、それぞれ、左側壁１７の右側面（すなわち、内部空間１３に面する面）と固定部３１の左側面とを連結する。また、２つのヒンジ２７は、左側壁１７の前端から所定距離Ｌ１分だけ後方に設けられる。
【００２７】
ブラケット２８は、左側壁１７に対して、ヒンジ２７を介して、上下方向に延びる軸を中心に前壁側に回転自在に支持されている。ブラケット２８は、２つのヒンジ２７が前端部に固定される平板状の固定部３１と、固定部３１の後端から略直角方向に延びる平板状の保持部３２とを有する。また、固定部３１の前後方向の長さは、保持部３２の左右方向の長さよりも短く設定されている。すなわち、ブラケット２８は、水平方向の断面が略Ｌ字形に構成され、Ｌ字形の短手の先端を中心に回転自在に支持されている。また、ブラケット２８は、筐体１４の内部空間１３のうち、中央よりも上部の領域に設けられている。
【００２８】
固定部３１は、ヒンジ２７を介している分だけ、左側壁１７と離間して、左側面と略平行に前後方向に延びている。固定部３１の前後方向の長さＬ２は、左側壁１７の前端からヒンジ２７までの距離Ｌ１と略同一の長さとなっている。すなわち、ヒンジ２７は、左側壁の前端と固定部３１の後端との間の長さＬ３における前後方向の略中央に設けられている。
【００２９】
保持部３２は、後壁１９と略平行に延在している。保持部３２の前面に制御基板２３が固定されている。保持部３２の左右方向の長さは、コントロールボックス１２の左右方向の長さの３分の２程度とされていて、保持部３２の上下方向の長さは、コントロールボックス１２の上下方向の長さの半分以下とされている。保持部３２の面部の大きさは、制御基板２３の面部の大きさと略同一とされ、制御基板２３がはみ出さない程度の大きさとされている。保持部３２の右端部には、２つのボルト孔３６が形成されている。
【００３０】
柱部２９は、上下方向に延びていて、上端が天井壁１５に固定され、下端が底壁１６に固定されている。また、柱部２９の前面には、上下方向に並んで複数のボルト孔３７が形成されている。複数のボルト孔３７のうち、上から２つのボルト孔３７は、保持部３２に形成されたボルト孔３６と対応する位置に配置されている。この柱部２９に形成されたボルト孔３７と、保持部３２に形成されたボルト孔３６との両方を挿通するボルト３８（図３参照）により、保持部３２と柱部２９とが着脱可能に固定されている。
【００３１】
ドア部２１は、筐体１４に形成された開口２０の全域を覆う板状部材であって、右側壁１８にドアヒンジ（閉塞部材支持部）３９を介して支持されている。ドアヒンジ３９は、上下方向軸を中心として回転自在にドア部２１を支持している。ドア部２１は、ドアヒンジ３９によって回転移動することで、開口２０を開閉可能となっている。
【００３２】
次に、本実施形態におけるブラケット２８及び制御基板２３の動きについて、図２から図７を用いて説明する。
ブラケット２８と柱部２９とを固定するボルト３８を取り外すことで、ブラケット２８と柱部２９との固定が解除される。ブラケット２８と柱部２９の固定を開示すると、ブラケット２８は、ヒンジ２７のみによって支持されることとなる。
この状態で、ブラケット２８を開口側に移動させると、ブラケット２８は、ヒンジ２７を中心として回転移動する。ブラケット２８が９０度回転移動すると、図２及び図３で示しているブラケット２８が内部空間１３に位置している状態から、図４及び図５で示しているブラケット２８の大部分が内部空間１３から飛び出た状態となる。この状態では、左側壁１７と保持部３２とは接触しておらず、少なくとも、固定部３１の長さＬ２だけ離れている。
図４及び図５で示した状態から、さらに回転移動し、図６及び図７で示したように、左側壁１７と保持部３２とが為す角度がθとなると、制御基板２３と左側壁１７とが干渉するので、回転移動が停止する。なお、制御基板２３と左側壁１７とが干渉する直前で、ブラケット２８の回転移動を停止させるストッパ等を設けてもよい。
ブラケット２８を柱部２９に固定する場合には、上述の動きと逆の動きとなる。
【００３３】
本実施形態によれば、以下の作用効果を奏する。
本実施形態では、開口２０側から見た際に、インバータ基板２４は、制御基板２３によって隠された状態となっている。開口２０側にブラケット２８を回転させることで、ブラケット２８が保持する制御基板２３よりも後壁１９側に配置されたインバータ基板２４が、開口２０を介して筐体１４の外部に対して露出した状態になる。したがって、制御基板２３を取り外すことなく、後壁１９側に配置されたインバータ基板２４のメンテナンスを行うことができる。したがって、容易に、後壁１９側に配置されたインバータ基板２４のメンテナンスを行うことができる。
【００３４】
また、筐体１４の左側壁１７に支持された平板状のブラケット２８のみによって開口２０側に配置された制御基板２３を保持している。このように、制御基板２３とともに回転移動する部材が、筐体１４の内部空間１３に配置される比較的簡素な構成である平板状のブラケット２８のみとなる。したがって、筐体１４全体や筐体１４の側壁等とともに回転移動する構成と比較して、回転移動する部材を軽量とすることができる。
また、本実施形態では、ブラケット２８が、制御基板２３のみを保持している。このように、単一の基板のみを保持する構成とすることで、複数の基板を保持する構成と比較して、回転移動する部材全体の重さを軽量とすることができる。
このように、軽量化することで、開口２０側に配置された制御基板２３を容易に回転移動させることができる。また、ヒンジ２７に作用する荷重も比較的少なくなるので、ヒンジ２７の破損や変形を抑制することができる。
【００３５】
図８の参考図に示すように、固定部３１を設けずヒンジと保持部とが直接接続されている構成では、ブラケットが９０度回転する前に、左側壁と制御基板の端部とが干渉してしまう。
一方、本実施形態では、ブラケット２８の保持部３２が、後壁１９方向に延在する固定部３１を介して左側壁１７に支持されている。これにより、ブラケット２８の保持部３２は、固定部３１を介している分、ヒンジ２７（ヒンジ２７と固定部３１の一端とは略同位置となるので、固定部３１の一端ともいえる）よりも後方に位置している。すなわち、保持部３２は、固定部３１を介している分、ヒンジ２７（固定部３１の一端）よりも開口２０から離れて位置している。これにより、ブラケット２８が開口２０側に回転した場合に、保持部３２はヒンジ２７（固定部３１の一端）よりも、固定部３１を介している分、回転進行方向の後ろ側に位置することとなる。したがって、ブラケット２８は回転移動とともに左側壁１７に近づいていくが、固定部３１を介している分、保持部３２と左側壁１７とを干渉し難くすることができる。よって、ブラケット２８が回転移動する際に、移動可能な角度を大きくすることができる。
【００３６】
また、固定部３１の前後方向の長さＬ２は、左側壁１７の前端からヒンジ２７までの距離Ｌ１と略同一の長さとなるように設定されている。これにより、固定部３１の長さが比較的短くなっている。したがって、回転移動した際に、ブラケット２８と左側壁１７との距離を比較的近くすることができる。したがって、後壁１９側に配置されたインバータ基板２４のメンテナンスをする際に、ブラケット２８が邪魔にならない構成とすることができる。
【００３７】
また、ブラケット２８は、ヒンジ２７を中心に回転移動するので、ヒンジ２７から離れた部分ほど、回転移動した際の描く軌跡は長くなる。すなわち、本実施形態では、右側壁１８方向に延びる保持部３２の端部が描く軌跡が一番長くなる。
本実施形態では、ヒンジ２７が固定されている左側壁１７に、配線が挿通する切欠き部３４が形成され、この切欠き部３４に配線が挿通されている。すなわち、配線は、左側壁１７側に延びている。これにより、制御基板２３に接続された配線が、軌跡が一番長くなる保持部３２の端部と干渉しない。よって、左側壁１７に切欠き部３４を形成することで、ブラケット２８の回転移動に伴う配線の移動距離が長くなることを抑制することができる。よって、配線を制御基板２３に接続したままブラケット２８を回転移動した場合であっても、ブラケット２８と配線とが干渉することに起因する配線の損傷や、配線の制御基板２３からの抜け落ちを防止することができる。また、配線がブラケット２８の回転移動の妨げとならないようにすることができる。
【００３８】
上記構成では、ブラケット２８は、左側壁１７に設けられたヒンジ２７によって支持され、ヒンジ２７を中心として回転移動する。また、ドア部２１は、左側壁１７と対向する側壁である右側壁１８に設けられたドアヒンジ３９に支持され、このドアヒンジ３９を中心に回転移動する。これにより、同一の側壁に両部材を設けた場合と比較して、ブラケット２８が回転移動する際に描く回転軌跡とドア部２１が回転移動する際に描く回転軌跡とが重なる領域が小さくなる。したがって、ブラケット２８とドア部２１とが回転移動する際に、ブラケット２８とドア部２１とを干渉し難くすることができる。
【００３９】
なお、本発明は、上記実施形態にかかる発明に限定されるものではなく、その要旨を逸脱しない範囲において、適宜変形が可能である。例えば、本実施形態では、制御基板２３とインバータ基板２４との２層構造について説明したが、本発明は３層以上の多層構造であっても適用することができる。
また、左側壁１７に形成する切欠き部３４は、配線が挿通することができる構成であれば切欠き部３４でなくてもよく、例えば、開口でもよい。
【符号の説明】
【００４０】
１      室外機
１２    コントロールボックス
１３    内部空間
１４    筐体
１７    左側壁（交差側面）
１８    右側壁（交差側面と対向する側面）
１９    後壁（他側面）
２０    開口
２１    ドア部（閉塞部材）
２３    制御基板（内蔵部品）
２４    インバータ基板（内蔵部品）
２７    ヒンジ（支持部）
２８    ブラケット
３１    固定部
３２    保持部
３４    切欠き部（配線挿通部）
３９    ドアヒンジ（閉塞部材支持部）
【図１】
2019049388.tif 000003
【図２】
2019049388.tif 000004
【図３】
2019049388.tif 000005
【図４】
2019049388.tif 000006
【図５】
2019049388.tif 000007
【図６】
2019049388.tif 000008
【図７】
2019049388.tif 000009
【図８】
2019049388.tif 000010